(57)【特許請求の範囲】
【請求項１】
部屋を照明する照明器具の光源とは別の光源を用いて表面の輝度が変化する色票を部屋内に備えて、在室者から見た色票が部屋内に置かれた物体として認識される輝度のレベルと自ら発光している光源として認識される輝度のレベルとの中間である不自然な色の見え方になるときの色票の輝度を色モード境界輝度とし、
部屋を照明する複数の照明器具を在室者の視野内における照射エリア別のカテゴリーに分類して、カテゴリー毎の照明器具が部屋を照明しているときの各色モード境界輝度の比率、あるいはカテゴリー毎の照明器具の各色モード境界輝度に基づいてカテゴリー毎の照明器具による明るさを評価する単位として設定された各明るさ感単位の比率を、部屋の所望の雰囲気を実現するために所定の比率に設定することを特徴とする照明空間の雰囲気設計方法。
【請求項２】
前記在室者の視野内における照射エリア別のカテゴリーを、照射位置が高い位置、低い位置、高い位置と低い位置との中間位置の３つに分類したことを特徴とする請求項１記載の照明空間の雰囲気設計方法。
【請求項３】
所望の雰囲気を実現するための前記カテゴリー毎の各色モード境界輝度の所定の比率、あるいは前記カテゴリー毎の各明るさ感単位の所定の比率が、部屋の用途によって異なることを特徴とする請求項１または２記載の照明空間の雰囲気設計方法。
【請求項４】
前記カテゴリー毎の各色モード境界輝度の比率、あるいは前記カテゴリー毎の各明るさ感単位の比率を、部屋の雰囲気が所望の雰囲気となるように予め所定の比率に設定しておくことを特徴とする請求項１乃至３いずれか記載の照明空間の雰囲気設計方法。
【請求項５】
複数の照明器具のうち一部の照明器具の出力を増減させることによって、前記カテゴリー毎の各色モード境界輝度の比率、あるいは前記カテゴリー毎の各明るさ感単位の比率を変化させ、部屋の雰囲気を第１の雰囲気から第２の雰囲気へ連続的に変化させることを特徴とする請求項１乃至３いずれか記載の照明空間の雰囲気設計方法。
【請求項６】
部屋を照明する複数の照明器具と、請求項１乃至５いずれかの照明空間の雰囲気設計方法を用いて各照明器具の出力を制御する制御手段とを備えることを特徴とする照明空間の雰囲気制御システム。
【発明の詳細な説明】
【技術分野】
【０００１】
本発明は、照明空間の雰囲気設計方法、および照明空間の雰囲気制御システムに関するものである。
【背景技術】
【０００２】
従来、室内の明るさ感向上や、視認性の向上等を目的として、様々な照明設計方法が提案されている（例えば、特許文献１，２参照）。
【０００３】
屋内照明の設計は、照明に関する専門知識を持った一部の専門家によって行なわれるものであるが、ここで照明設計を「室内に必要な明るさおよび雰囲気を満足するために適切な照明器具を選択すること」であると広義に捉えた場合、一般ユーザがカタログ等を見て自分の部屋に合った照明器具を選択する行為もまた照明設計の一部分であると考えることができる。
【０００４】
照明メーカでは、そのような一般ユ−ザの照明設計の目安となるように、照明器具の出力（光源Ｗ数等）やデザイン等の照明器具に関する情報の他に、例えば住宅照明用のシーリングライトの場合では、各器具の配光データから照度計算した結果に基づいてＪＩＳ照度基準レベルの水平面照度が概ね満足できる部屋の広さを特定し、適合畳数「６〜８畳用」等とカタログに表記していた。また、照明器具を部屋に設置した場合の空間の雰囲気をユーザに伝えるために、モデルルームに器具を設置したイメージ写真やＣＧ画像を掲載する方法が採用されていた。
【０００５】
また、最近は、一室複数灯での間接照明や壁面照明を主体とするデザイン性の高い部屋において、部屋の条件を考慮した上で、部屋の用途に合った「明るさ感」の照明環境を実現する照明器具、および照明器具の組み合わせを、照明の専門知識を持たない一般ユーザが手軽に選択可能な照明設計方法も提案されている。
【特許文献１】特開平９−３２０３１１号公報
【特許文献２】特開２００３−１５１３０８号公報
【発明の開示】
【発明が解決しようとする課題】
【０００６】
上記従来の適合畳数表示等の方法では、照明器具単体を配置した場合の水平面照度が規定のレベルを満足するか否かという情報しか提供できず、従来のイメージ写真やＣＧ画像をカタログに掲載する方法では、ある特定の条件下での照明の印象、雰囲気しか伝えることができず、ユーザの希望する様々な部屋の条件（内装や器具の配置）での照明の印象、雰囲気を伝えるには至っていない。
【０００７】
また、一室複数灯での間接照明や壁面照明を主体とするデザイン性の高い部屋において、照明の専門知識を持たない一般ユーザであっても部屋の用途に合った「明るさ感」を考慮して照明環境を設計することはできたが、「落ち着いた感じの部屋にしたい」、「開放感のある部屋にしたい」といった部屋の雰囲気に関するユーザの要望を満足するには至っていない。
【０００８】
本発明は、上記事由に鑑みてなされたものであり、その目的は、一室複数灯での間接照明や壁面照明を主体とするデザイン性の高い部屋において、ユーザーの要望する部屋の雰囲気に合った照明環境を実現する照明器具および照明器具の組み合わせを、照明の専門知識を持たない一般ユーザが手軽に実現できる照明空間の雰囲気設計方法、および照明空間の雰囲気制御システムを提供することにある。
【課題を解決するための手段】
【０００９】
請求項１の発明は、部屋を照明する照明器具の光源とは別の光源を用いて表面の輝度が変化する色票を部屋内に備えて、在室者から見た色票が部屋内に置かれた物体として認識される輝度のレベルと自ら発光している光源として認識される輝度のレベルとの中間である不自然な色の見え方になるときの色票の輝度を色モード境界輝度とし、部屋を照明する複数の照明器具を在室者の視野内における照射エリア別のカテゴリーに分類して、カテゴリー毎の照明器具が部屋を照明しているときの各色モード境界輝度の比率、あるいはカテゴリー毎の照明器具の各色モード境界輝度に基づいてカテゴリー毎の照明器具による明るさを評価する単位として設定された各明るさ感単位の比率を、部屋の所望の雰囲気を実現するために所定の比率に設定することを特徴とする。
【００１０】
この発明によれば、照明の専門知識を持たない一般ユーザでも容易に、カタログ等に記載された照明器具個々の色モード境界輝度あるいは明るさ感単位の値に基づいて、空間の所望の雰囲気を実現する照明器具および照明器具の組み合わせを選択することができる。すなわち、一室複数灯での間接照明や壁面照明を主体とするデザイン性の高い部屋において、ユーザーの要望する部屋の雰囲気に合った照明環境を実現する照明器具および照明器具の組み合わせを、照明の専門知識を持たない一般ユーザが手軽に実現できるのである。
【００１１】
請求項２の発明は、請求項１において、前記在室者の視野内における照射エリア別のカテゴリーを、照射位置が高い位置、低い位置、高い位置と低い位置との中間位置の３つに分類したことを特徴とする。
【００１２】
この発明によれば、ユーザーが直感的に分かり易いカテゴリーに分類することで、設計の簡便化を図ることができる。
【００１３】
請求項３の発明は、請求項１または２において、所望の雰囲気を実現するための前記カテゴリー毎の各色モード境界輝度の所定の比率、あるいは前記カテゴリー毎の各明るさ感単位の所定の比率が、部屋の用途によって異なることを特徴とする。
【００１４】
この発明によれば、本設計方法の適用の幅を広げることができる。
【００１５】
請求項４の発明は、請求項１乃至３いずれかにおいて、前記カテゴリー毎の各色モード境界輝度の比率、あるいは前記カテゴリー毎の各明るさ感単位の比率を、部屋の雰囲気が所望の雰囲気となるように予め所定の比率に設定しておくことを特徴とする。
【００１６】
この発明によれば、所望の雰囲気を実現したいユーザーの利便性の向上を図るとともに、できるだけ少ない消費電力で所望の雰囲気を実現して省エネルギー化を図ることができる。
【００１７】
請求項５の発明は、請求項１乃至３いずれかにおいて、複数の照明器具のうち一部の照明器具の出力を増減させることによって、前記カテゴリー毎の各色モード境界輝度の比率、あるいは前記カテゴリー毎の各明るさ感単位の比率を変化させ、部屋の雰囲気を第１の雰囲気から第２の雰囲気へ連続的に変化させることを特徴とする。
【００１８】
この発明によれば、空間に適用可能な雰囲気の幅を広げることができ、ユーザーが使用する空間の価値を向上させることができる。
【００１９】
請求項６の発明は、部屋を照明する複数の照明器具と、請求項１乃至５いずれかの照明空間の雰囲気設計方法を用いて各照明器具の出力を制御する制御手段とを備えることを特徴とする。
【００２０】
この発明によれば、請求項１乃至５いずれかと同様の効果を奏し得る照明空間の雰囲気制御システムを提供できる。
【発明の効果】
【００２１】
以上説明したように、本発明では、一室複数灯での間接照明や壁面照明を主体とするデザイン性の高い部屋において、ユーザーの要望する部屋の雰囲気に合った照明環境を実現する照明器具および照明器具の組み合わせを、照明の専門知識を持たない一般ユーザが手軽に実現できるという効果がある。
【発明を実施するための最良の形態】
【００２２】
以下、本発明の実施の形態を図面に基づいて説明する。
【００２３】
（実施形態１）
近年、室内のインテリアにこだわりを持ったユーザー層が増え、それにともなって、室内の照明についても、従来のシーリングライト１灯を天井に配置するといった手法ではなく、照明器具や、その配置のバリエーションに関しても様々な手法が取られるようになり、それらを組み合わせた一室複数灯配置の照明手法が多く見られるようになってきた。住宅居室における一室複数灯配置の例を図５に示す。この例では、照射エリアが互いに異なる３つの照明器具Ｌａ１０〜Ｌａ１２を室内に配置している。
【００２４】
そこで、このような一室複数灯配置の照明手法において、各照明器具をその照射エリアにしたがって在室者の視野内での位置別に類型化（カテゴリー分類）し、カテゴリー毎の照明器具が部屋を照明しているときの各「色モード境界輝度」の比率、あるいはカテゴリー毎の照明器具の色モード境界輝度に基づいてカテゴリー毎の照明器具による明るさを評価する単位として設定された各「明るさ感単位」の比率の変化が空間の雰囲気に与える影響について着目し、実験を行った。
【００２５】
まず、本発明では、上記「明るさ感単位」を定量的に把握する手法として、照明認識視空間の概念における色モード境界輝度の測定（参考文献１：照明認識視空間の明るさサイズの測定による実環境における空間の明るさ感の評価、照明学会誌、第８６巻第１１号、２００２、Ｐ８３０〜８３６、山口他）を用いており、照明された部屋に置かれた色票（以下、テストパッチと呼ぶ）を在室者（被験者）から見た見え方が、その部屋内に置かれた物体（物体色）として認識される輝度のレベルと自ら発光している光源（光源色）として認識される輝度のレベルとの中間である、その部屋に置かれた物体としては不自然な色の見え方になる輝度のレベル（これを「色モード境界輝度」と呼ぶ）を測定することによって、照明された部屋の明るさ感を定量的に表すものである。
【００２６】
また、不均一な照明環境において色モード境界輝度の加法性が成り立つことが示されており（参考文献２：不均一な照明環境における空間の明るさ感の加法性、第３６回照明学会全国大会講演論文集、Ｐ１５４、２００３、山口他）、ある照明環境Ｚ１が、照明環境Ｚ２とＺ３との和であるとき、照明環境Ｚ２，Ｚ３における各々の色モード境界輝度の和で照明環境Ｚ１における色モード境界輝度が予測できることが実証されている。
【００２７】
以上から、照明認識視空間の概念における「色モード境界輝度」を測定することによって、空間の明るさ感を定量的に把握することができ、ある照明器具を設置した部屋の明るさ感を規定する「明るさ感単位」を設定することが技術的に可能であるといえる。
【００２８】
ここで、本発明の手法である色モード境界輝度設定には、図６に示すテストパッチ輝度提示装置１を使用する。テストパッチ輝度提示装置１は、設置プレート１ｇ上に設置された、光源にハロゲン電球を用いたスライドプロジェクターで構成される光源システム１ｂを収納した光源ボックス１ａ、回転濃度フィルター１ｄを収納した光学系ボックス１ｃ、可動式平面ミラー１ｅ、支持具１ｆによって設置プレート１ａから１１００ｍｍの高さに設けられたテストパッチＴとからなる。テストパッチＴは、光源システム１ｂから回転濃度フィルター１ｄを通った光が可動式平面ミラー１ｅで反射して局所照明されている。被験者は、手元のスイッチで回転濃度フィルター１ｄを回転させることで自由にテストパッチＴの輝度を調節することが可能である。また、テストパッチＴは照明の影響をほとんど受けないように照射面を下向きに斜め４５°に傾けてある。テストパッチＴは、６０ｍｍ×６０ｍｍの大きさで、被照射面はＮ５，グレーの紙面からなる。
【００２９】
上記のように設定された「色モード境界輝度」から、下記［数１］に基づいて「明るさ感単位」を導出し、その単位はＦｅｕ（フー）と称する。
【００３０】
【数１】
0004654842.tif 000002
【００３１】
次に、実験設備の平面図を図７に示し、斜視図を図８に示す。部屋サイズ：３５００ｍｍ×３５００ｍｍ、天井高さ：２５００ｍｍの８畳実物大の住宅居室Ｒａを実験に使用した。天井および壁の３面は白のクロス仕上げ、壁の一面は白のロールスクリーン２で間仕切りを施しており、床はやや光沢のあるダークブラウンのフローリング仕上げであり、ロールスクリーン２を右手に臨む壁面Ｒａ１側の略中央を被験者の観測位置Ｐとする。
【００３２】
使用する照明器具は、照射エリアが在室者の視野内での高い位置であるもの（カテゴリーＨｉｇｈ）、低い位置であるもの（カテゴリーＬｏｗ）、高い位置と低い位置との中間位置であるもの（カテゴリーＭｉｄｄｌｅ）の３つのカテゴリーに分類される。そして、カテゴリーＨｉｇｈに属する照明器具ＬＨ１としてダイクール電球６５Ｗ×３灯用のアッパーライトを被験者側壁面Ｒａ１の左コーナーから６００ｍｍ×６００ｍｍの位置に配置して、天井を照射する。また、カテゴリーＭｉｄｄｌｅに属する照明器具ＬＭ１として蛍光灯４０Ｗ×１灯のバーチカルライトを被験者が観測位置Ｐから対面する壁面Ｒａ２の右コーナーから２５０ｍｍ×２５０ｍｍの位置に配置して、壁面Ｒａ２の中間高さ付近を照射する。また、カテゴリーＬｏｗに属する照明器具ＬＬ１として蛍光灯４０Ｗ×１灯のホリゾントを被験者が観測位置Ｐから対面する壁面Ｒａ２の左コーナーから１００ｍｍの位置に配置して、壁面Ｒａ２の床付近を照射する。このように、照射エリアの位置によって照明器具のカテゴリーを分類することで、分類の基準がユーザーにとって直感的に分かり易くなり、設計の簡便化を図ることができる。なお、これらの各照明器具ＬＨ１，ＬＭ１，ＬＬ１は、被験者の手元に配置した調光器３によって調光可能である。
【００３３】
まず、本実験に先だって、テストパッチＴが壁面Ｒａ１から２５００ｍｍに位置するようにテストパッチ輝度提示装置１を設置して測定した各照明器具ＬＨ１，ＬＭ１，ＬＬ１単体で点灯した場合の「色モード境界輝度」と、部屋の床面中央部に設置した照度計４によって測定される「床面中央照度」との関係を求めた。一例として、図９に照明器具ＬＨ１の色モード境界輝度と床面中央照度との関係を示す。図９中の直線Ｙは、全てのプロット点に対して線形回帰で求めた直線（ｙ＝０．１０８５ｘ＋１．１６８１）であり、その決定係数は０．９８３と非常に高い値を示している。照明器具ＬＭ１，ＬＬ１の「色モード境界輝度」と「床面中央照度」との関係も、同様に直線で表される。したがって、各照明器具ＬＨ１，ＬＭ１，ＬＬ１の「色モード境界輝度」と「床面中央照度」との関係は線形な比例関係にあるといえる。そして、各照明器具ＬＨ１，ＬＭ１，ＬＬ１を調光しながら床面中央照度をモニターすることで、これら「色モード境界輝度」と「床面中央照度」との関係に基づいて、各カテゴリーＨｉｇｈ，Ｍｉｄｄｌｅ，Ｌｏｗの「色モード境界輝度」、または［数１］を用いて算出される「明るさ感単位」を任意の値に調整することができる。
【００３４】
次に、実験の手順，結果について述べる。被験者として、正常な視力、色覚を有する２０代〜３０代の照明関連の仕事に従事する男女１０名を選抜した。各被験者には、図１０に示す全１２通りの、カテゴリーＨｉｇｈ，Ｍｉｄｄｌｅの各「明るさ感単位」の組み合わせの条件（シーン１〜シーン１２）を提示し、各条件下で、カテゴリーＬｏｗの照明器具ＬＬ１を次のようなインストラクションにしたがって調光させた。
「住宅居室で何もしないでくつろいでいる状態を想定して、最もよい灯りのバランスになるように調光して下さい。」
「次に、これ以上暗くすると違和感があると感じるところで止めて下さい。」
「次に、これ以上明るくすると違和感があると感じるところで止めて下さい。フル点灯にしても違和感がない場合は申告してください。」
「もう一度、最もよい灯りのバランスになるように調光してください。」
なお、被験者は１つの条件毎に入退室し、各条件の提示順序は被験者毎にランダムな順序とした。
【００３５】
上記実験の結果として、図１０に示すカテゴリーＬｏｗの「明るさ感単位」は、シーン１〜シーン１２における被験者全員の照明器具ＬＬ１に対する調光結果の平均値を示し、各条件で最もよい灯りのバランスにした場合の空間の雰囲気を、「くつろぎ感（くつろげない−くつろいだ）」、「落ち着き感（落ち着かない−落ち着いた）」、「やすらぎ感（やすらぎのない−やすらぎのある）」、「明るさ感（暗い−明るい）」、「開放感（狭い−広い）」、「好ましさ（嫌い−好き）」について、各々７段階評価をした被験者平均値のグラフを図１１〜図１３に示す。
【００３６】
上記結果についての考察を以下に述べる。まず、図１１〜図１３の各グラフともに、条件が異なる各シーン毎で、空間の雰囲気が変わることを示している。図１１（ａ）（ｂ）に示した「開放感」，「明るさ感」に関する各評価結果は、ほぼ同様の傾向を示しており、全てのカテゴリーの照明器具ＬＨ１，ＬＭ１，ＬＬ１の各「明るさ感単位」の総和、つまり空間全体の明るさ感が増加する程、「開放感」，「明るさ感」の評価が高くなっている。
【００３７】
次に、図１２（ａ）（ｂ）（ｃ）に示した「くつろぎ感」，「落ち着き感」，「やすらぎ感」に関する評価結果を見てみると、ほぼ同様の傾向を示しており、空間全体の「明るさ感」が比較的高いシーン１０，１１，１２の評価が低くなっている。但し、全てのカテゴリーＨｉｇｈ，Ｍｉｄｄｌｅ，Ｌｏｗの各「明るさ感単位」の総和が同じシーンであっても、カテゴリーＨｉｇｈ，Ｍｉｄｄｌｅ，Ｌｏｗの各「明るさ感単位」の比率が異なる条件間で評価に違いが見られる（例えば、シーン２とシーン４、シーン５とシーン７）。
【００３８】
以上のように、室内に設置した照明器具を、その照射エリアにしたがって、照射エリアが在室者の視野内での高い位置であるもの、低い位置であるもの、高い位置と低い位置との中間位置であるものの３つに分類してカテゴリー分けを行い、そのカテゴリー毎の「色モード境界輝度」に基づいた「明るさ感単位」の比率の違いが、照明された室内の雰囲気に影響を及ぼすこと、さらにカテゴリー毎の「明るさ感単位」の比率を変えることで室内の雰囲気をコントロールできることがわかった。
【００３９】
上記８畳の住宅居室Ｒａに配置した照明器具ＬＨ１，照明器具ＬＭ１，照明器具ＬＬ１の各「明るさ感単位」の比率の違いによる雰囲気評価実験では、部屋の用途については特に規定せず、住宅における一般的な居室という想定で実験を行ったため、部屋の用途を規定した場合にどのような結果が得られるかを確かめる必要があった。そこで、以下に述べるような住宅和室におけるカテゴリー毎の「明るさ感単位」の比率の違いによる雰囲気評価実験をさらに行った。
【００４０】
住宅和室の実験設備を図１４に示す。床の間Ｒｂ１を設けた８畳の和室Ｒｂを使用し、略中央には机５を配置し、床の間Ｒｂ１を設けた壁面Ｒｂ２に対面して机５を挟んだ位置を被験者の観測位置Ｐとする。
【００４１】
使用する照明器具は、上記同様に照射エリアによって、３つのカテゴリーＨｉｇｈ，Ｍｉｄｄｌｅ，Ｌｏｗに分類される。そして、カテゴリーＨｉｇｈに属する照明器具ＬＨ２として和紙張り間接型ペンダントを部屋中央の天井面に配置する。また、カテゴリーＭｉｄｄｌｅに属する照明器具ＬＭ２として和風角型ダウンライトを部屋の四隅に配置し、同じくカテゴリーＭｉｄｄｌｅに属する照明器具ＬＭ３として床の間用スポットライトを床の間Ｒｂ１の壁面中央を照射するように配置する。また、カテゴリーＬｏｗに属する照明器具ＬＬ２として和風スタンドの灯具のみを床置きで１つの隅に配置し、同じくカテゴリーＬｏｗに属する照明器具ＬＬ３として乳白ガラスグローブスタンドを照明器具ＬＬ２の対角にある隅に配置する。これらの各照明器具ＬＨ２，ＬＭ２，ＬＭ３，ＬＬ２，ＬＬ３も調光可能である。なお、図１５（ａ）〜（ｅ）に照明器具ＬＨ２，ＬＭ２，ＬＭ３，ＬＬ２，ＬＬ３の外観を示す。
【００４２】
次に、実験の手順，結果について述べる。被験者として、正常な視力、色覚を有する２０代〜３０代の照明関連の仕事に従事する男女１０名を選抜した。そして、上記図７に示す住宅居室Ｒａでの実験と同様に、各照明器具ＬＨ２，ＬＭ２，ＬＭ３，ＬＬ２，ＬＬ３単体での色モード境界輝度と床面中央照度との関係を求め、各照明器具ＬＨ２，ＬＭ２，ＬＭ３，ＬＬ２，ＬＬ３を調光しながら床面中央照度をモニターすることで、これら「色モード境界輝度」と「床面中央照度」との関係に基づいて、各カテゴリーＨｉｇｈ，Ｍｉｄｄｌｅ，Ｌｏｗ毎の「色モード境界輝度」または「明るさ感単位」を任意の値に調整することができる。各被験者には、上記図７に示す住宅居室Ｒａでの実験結果を踏まえて、図１６に示す全９通りの、カテゴリーＨｉｇｈ，Ｍｉｄｄｌｅの各「明るさ感単位」の組み合わせの条件（シーン１１〜シーン１９）を提示し、各条件下で、カテゴリーＬｏｗに属する照明器具ＬＬ２，ＬＬ３を次のようなインストラクションにしたがって調光させた。
「住宅居室で何もしないでくつろいでいる状態を想定して、最もよい灯りのバランスになるように調光して下さい。」
「次に、これ以上暗くすると違和感があると感じるところで止めて下さい。」
「次に、これ以上明るくすると違和感があると感じるところで止めて下さい。フル点灯にしても違和感がない場合は申告してください。」
「もう一度、最もよい灯りのバランスになるように調光してください。」
なお、被験者は１つの条件毎に入退室し、各条件の提示順序は被験者毎にランダムな順序とした。
【００４３】
上記実験の結果として、図１６のカテゴリーＬｏｗの「明るさ感単位」は、各条件における被験者全員のカテゴリーＬｏｗに対する調光結果の平均値を示し、空間の雰囲気を、「くつろぎ感」、「落ち着き感」、「やすらぎ感」について、各々７段階評価をした被験者平均値のグラフを図１７（ａ）〜（ｃ）に示す。この図１７（ａ）〜（ｃ）に示す和室Ｒｂでの評価結果と、図１２（ａ）〜（ｃ）に示す住宅居室Ｒａでの評価結果とを比較すると、「くつろぎ感」や「やすらぎ感」に関しては住宅居室Ｒａで評価の最も高かったシーン４（カテゴリーＨｉｇｈ，Ｍｉｄｄｌｅ，Ｌｏｗの比率が２：１：４）の条件よりも、和室Ｒｂではシーン１８（カテゴリーＨｉｇｈ，Ｍｉｄｄｌｅ，Ｌｏｗの比率が２：２：２）の条件のほうが評価は高くなっている。
【００４４】
このように、部屋の用途を規定した場合、所望の雰囲気が同じであっても、部屋の用途の違いによって、その雰囲気を実現するカテゴリー毎の明るさ感単位の比率にも違いがあることが示唆されている。
【００４５】
次に、図１１（ａ）（ｂ）に示す住宅居室Ｒａにおける「開放感」、「明るさ感」の評価結果と、図１３に示す住宅居室Ｒａにおける「好ましさ」の評価結果とに着目する。まず、各カテゴリーＨｉｇｈ，Ｍｉｄｄｌｅ，Ｌｏｗの「明るさ感単位」の総和、つまり空間全体の明るさ感が増加するほど、「開放感」、「明るさ感」の評価が高くなっているものの、「好ましさ」という観点では、「明るさ感単位」の総和が大きければ「好ましさ」の評価が高いとは必ずしも言えない。また、省エネルギーという観点からも、やみくもに「明るさ感単位」を大きくすることは、照明に係る消費電力を増加させることになり望ましくない。したがって、空間が「開放感」、「明るさ感」の雰囲気を備えるのに最適な各カテゴリーＨｉｇｈ，Ｍｉｄｄｌｅ，Ｌｏｗ毎の「明るさ感単位」の比率は、２：４：４（シーン６）あるいは４：２：４（シーン８）であるということがいえる。
【００４６】
このように、上記評価結果より、空間の雰囲気を所望の雰囲気とするために最適な各カテゴリーＨｉｇｈ，Ｍｉｄｄｌｅ，Ｌｏｗ毎の「明るさ感単位」の比率がわかるので、所望の雰囲気となる最適な「明るさ感単位」の比率を予め設定しておけば、所望の雰囲気を実現したいユーザーの利便性の向上を図るとともに、できるだけ少ない消費電力で所望の雰囲気を実現して省エネルギー化を図ることができる。
【００４７】
次に、図１２（ａ）（ｂ）（ｃ）に示す住宅居室Ｒａにおける「くつろぎ感」、「落ち着き感」、「やすらぎ感」の評価結果と、図１１（ａ）（ｂ）に示す住宅居室Ｒａにおける「開放感」、「明るさ感」の評価結果とに着目する。まず、上記のように、空間が「開放感」、「明るさ感」の雰囲気を備えるのに最適な各カテゴリーＨｉｇｈ，Ｍｉｄｄｌｅ，Ｌｏｗ毎の「明るさ感単位」の比率は、２：４：４（シーン６）あるいは４：２：４（シーン８）である。そして、このシーン６のカテゴリーＭｉｄｄｌｅの「明るさ感単位」を４から１に減少させる、あるいはシーン８のカテゴリーＨｉｇｈの「明るさ感単位」を４から２に減少させることによって、「くつろぎ感」、「落ち着き感」、「やすらぎ感」の評価が高いシーン４あるいはシーン５の条件を実現することが可能となる。つまり、照明器具の種類、配置が同じであっても、一部の照明器具の出力を変化させることによって、室内の雰囲気を大きく変えることができる。
【００４８】
上記実験結果に基づいて、以下、本実施形態の照明空間の雰囲気設計方法について説明する。
【００４９】
図３は、照射エリアの異なる８つの照明器具Ｌａ１〜Ｌａ８について、全点灯時の「明るさ感単位」を各々示しており、照明器具Ｌａ１〜Ｌａ４は２（Ｆｅｕ）、照明器具Ｌａ５〜Ｌａ８は４（Ｆｅｕ）である。そして、在室者の視野内における照射エリア別のカテゴリーを上記同様にＨｉｇｈ，Ｍｉｄｄｌｅ，Ｌｏｗの３つとした場合に、部屋用途別（
住宅居室、和室）の所望雰囲気（「落ち着き感」，「開放感」）を実現するための各カテゴリーＨｉｇｈ，Ｍｉｄｄｌｅ，Ｌｏｗ毎の「明るさ感単位」の比率を図４に示す。そして、ユーザーは、部屋に応じて自分の好みの雰囲気を実現するために、図４に示す各カテゴリーＨｉｇｈ，Ｍｉｄｄｌｅ，Ｌｏｗ毎の「明るさ感単位」の比率を満足するように、図３より照明器具を選択する。例えば、通常の８畳の住宅居室Ｒａにおいて「落ち着き感」を得たい場合は図１に示すように、カテゴリーＨｉｇｈに属する照明器具ＬＨ１０として照明器具Ｌａ１（全点灯時：２（Ｆｅｕ））を配置し、カテゴリーＭｉｄｄｌｅに属する照明器具ＬＭ１０として照明器具Ｌａ２（全点灯時：２（Ｆｅｕ））を配置し、カテゴリーＬｏｗに属する照明器具ＬＬ１０として照明器具Ｌａ８（全点灯時：４（Ｆｅｕ））を配置することで、各カテゴリーＨｉｇｈ，Ｍｉｄｄｌｅ，Ｌｏｗ毎の「明るさ感単位」の比率を２：２：４に設定する。
【００５０】
また、通常の８畳の住宅居室Ｒａにおいて「開放感」を得たい場合は図２に示すように、カテゴリーＨｉｇｈに属する照明器具ＬＨ１１として照明器具Ｌａ６（全点灯時：４（Ｆｅｕ））を配置し、カテゴリーＭｉｄｄｌｅに属する照明器具ＬＭ１１として照明器具Ｌａ７（全点灯時：４（Ｆｅｕ））を配置し、カテゴリーＬｏｗに属する照明器具ＬＬ１１として照明器具Ｌａ８（全点灯時：４（Ｆｅｕ））を配置することで、各カテゴリーＨｉｇｈ，Ｍｉｄｄｌｅ，Ｌｏｗ毎の「明るさ感単位」の比率を４：４：４に設定する。
【００５１】
このように、各カテゴリーＨｉｇｈ，Ｍｉｄｄｌｅ，Ｌｏｗ毎の「明るさ感単位」の比率を実現したい部屋の雰囲気に応じて設定することで、照明の専門知識を持たない一般ユーザでも容易に、カタログ等に記載された照明器具個々の色モード境界輝度あるいは明るさ感単位の値に基づいて、空間の所望の雰囲気を実現する照明器具および照明器具の組み合わせを選択することができる。すなわち、ユーザーの要望する部屋の雰囲気に合った照明環境を実現する照明器具および照明器具の組み合わせを、照明の専門知識を持たない一般ユーザが手軽に実現できるのである。
【００５２】
次に、８条の和室Ｒｂにおいて「落ち着き感」を得たい場合は、図４に示すように、各カテゴリーＨｉｇｈ，Ｍｉｄｄｌｅ，Ｌｏｗ毎の「明るさ感単位」の比率を２：２：２に設定するように照明器具および照明器具の組み合わせを選択し、「開放感」を得たい場合は、各カテゴリーＨｉｇｈ，Ｍｉｄｄｌｅ，Ｌｏｗ毎の「明るさ感単位」の比率を４：４：４に設定するように照明器具および照明器具の組み合わせを選択すればよく、各カテゴリーＨｉｇｈ，Ｍｉｄｄｌｅ，Ｌｏｗ毎の「明るさ感単位」の比率を、住宅居室Ｒａ、和室Ｒｂ等の部屋用途に応じて設定することで、本設計方法の適用の幅を広げることができる。
【００５３】
また、本実施形態では、各カテゴリーＨｉｇｈ，Ｍｉｄｄｌｅ，Ｌｏｗ毎の「明るさ感単位」の比率を設定しているが、各カテゴリーＨｉｇｈ，Ｍｉｄｄｌｅ，Ｌｏｗ毎の「色モード境界輝度」の比率を部屋用途に応じて設定しても、部屋の所望雰囲気を同様に実現することができる。
【００５４】
（実施形態２）
図１８は照明空間の雰囲気制御システムの構成を示しており、実施形態１と同様に、在室者の視野内における照射エリア別のカテゴリーをＨｉｇｈ，Ｍｉｄｄｌｅ，Ｌｏｗとし、３つのカテゴリーＨｉｇｈ，Ｍｉｄｄｌｅ，Ｌｏｗに各々対応した照明器具ＬＨ１１，ＬＭ１１，ＬＬ１１と、照明器具ＬＨ１１，ＬＭ１１，ＬＬ１１の各出力を変化させる調光部６と、照明器具ＬＨ１１，ＬＭ１１，ＬＬ１１の任意の「明るさ感単位」に対応した調光信号を記憶しておく記憶部７とを、８畳の住宅居室Ｒａに配置して構成される。
【００５５】
ここで、記憶部７には、所望の雰囲気を実現するために各カテゴリーＨｉｇｈ，Ｍｉｄｄｌｅ，Ｌｏｗ毎の「明るさ感単位」の比率に対応する調光信号が予め記憶されており、実現したい雰囲気に対応した調光信号が調光部６から照明器具ＬＨ１１，ＬＭ１１，ＬＬ１１に送信され、照明器具ＬＨ１１，ＬＭ１１，ＬＬ１１は所望の雰囲気となる「明るさ感単位」の比率に調光制御されるように、予め設定されている。このように、実現したい雰囲気となるように予め設定しておくことで、所望の雰囲気を実現したいユーザーの利便性の向上を図るとともに、できるだけ少ない消費電力で所望の雰囲気を実現して省エネルギー化を図ることができる。
【００５６】
（実施形態３）
本実施形態の雰囲気制御システムは、実施形態２と同様に図１８に示される。本実施形態では、記憶部７に、雰囲気Ａを実現するための各カテゴリーＨｉｇｈ，Ｍｉｄｄｌｅ，Ｌｏｗ毎の「明るさ感単位」の比率に対応する調光信号と、雰囲気Ｂを実現するための各カテゴリーＨｉｇｈ，Ｍｉｄｄｌｅ，Ｌｏｗ毎の「明るさ感単位」の比率に対応する調光信号とを記憶しておき、図示しない切替スイッチ等で調光部６から照明器具ＬＨ１１，ＬＭ１１，ＬＬ１１に送信する調光信号をいずれかに切り替えることで、部屋の雰囲気を、雰囲気Ａから雰囲気Ｂへ、あるいは雰囲気Ｂから雰囲気Ａへ連続的に変化させるものである。このように部屋の雰囲気を変化させることで、空間に適用可能な雰囲気の幅を広げることができ、ユーザーが使用する空間の価値を向上させることができる。
【図面の簡単な説明】
【００５７】
【図１】本発明の実施形態１の照明空間の雰囲気設計方法を示す照明配置図である。
【図２】同上の照明空間の雰囲気設計方法を示す別の照明配置図である。
【図３】同上の各照明器具の明るさ感単位を示す図である。
【図４】同上のカテゴリー毎の各明るさ感単位の所定の比率を部屋用途別に示す図である。
【図５】同上の一室複数灯配置の一例を示す図である。
【図６】同上のテストパッチ輝度提示装置の構成を示す図である。
【図７】同上の住宅居室の実験設備を示す平面図である。
【図８】同上の住宅居室の実験設備を示す斜視図である。
【図９】図７，図８の実験における中央床面照度と色モード境界輝度との関係を示す図である。
【図１０】図７，図８の実験結果を示す図である。
【図１１】（ａ）（ｂ）図７，図８の実験における開放感、明るさ感の評価結果を示す図である。
【図１２】（ａ）（ｂ）（ｃ）図７，図８の実験におけるくつろぎ感、落ち着き感、やすらぎ感の評価結果を示す図である。
【図１３】図７，図８の実験における好ましさの評価結果を示す図である。
【図１４】同上の和室の実験設備を示す平面図である。
【図１５】（ａ）〜（ｅ）図１４の実験で用いる照明器具の外観を示す図である。
【図１６】図１４の実験結果を示す図である。
【図１７】（ａ）（ｂ）（ｃ）図１４の実験におけるくつろぎ感、落ち着き感、やすらぎ感の評価結果を示す図である。
【図１８】本発明の実施形態２，３の照明空間の雰囲気制御システムの構成を示す図である。
【符号の説明】
【００５８】
Ｒａ  住宅居室
ＬＨ１０  カテゴリーＨｉｇｈに属する照明器具
ＬＭ１０  カテゴリーＭｉｄｄｌｅに属する照明器具
ＬＬ１０  カテゴリーＬｏｗに属する照明器具
【図１】
0004654842.tif 000003
【図２】
0004654842.tif 000004
【図３】
0004654842.tif 000005
【図４】
0004654842.tif 000006
【図５】
0004654842.tif 000007
【図６】
0004654842.tif 000008
【図７】
0004654842.tif 000009
【図８】
0004654842.tif 000010
【図９】
0004654842.tif 000011
【図１０】
0004654842.tif 000012
【図１１】
0004654842.tif 000013
【図１２】
0004654842.tif 000014
【図１３】
0004654842.tif 000015
【図１４】
0004654842.tif 000016
【図１５】
0004654842.tif 000017
【図１６】
0004654842.tif 000018
【図１７】
0004654842.tif 000019
【図１８】
0004654842.tif 000020